(57)【要約】【課題】輸送貨物を排出したインナーバッグを収納する際に形成されるコンテナ内の空きスペースを有効利用できるコンテナを提供すること。【解決手段】輸送貨物を収納可能であり、かつ、折り畳み自在なインナーバッグ２を内部に備えたコンテナ１であって、コンテナ１の天井１３付近または側壁１２付近に配設された可動床板７を備え、この可動床板７は、インナーバッグ２使用時に収納され、かつ、インナーバッグ２の折り畳み時に移動させることでコンテナ１の底部１１付近に敷設可能であり、敷設された可動床板７の上方に収納空間Ｓが形成されるコンテナ１とする。【選択図】図１
2015101340.tif 000002
【特許請求の範囲】
【請求項１】
輸送貨物を収納可能であり、かつ、折り畳み自在なインナーバッグを内部に備えたコンテナであって、
コンテナの天井付近または側壁付近に配設された可動床板を備え、この可動床板は、インナーバッグ使用時に収納され、かつ、インナーバッグの折り畳み時に移動させることでコンテナ底部付近に敷設可能であり、敷設された可動床板の上方に収納空間が形成されることを特徴とするコンテナ。
【請求項２】
インナーバッグはコンテナの底部側に折り畳み自在であり、インナーバッグの折り畳み時に可動床板を移動させて、折り畳まれたインナーバッグの上方に可動床板を敷設可能であることを特徴とする請求項１のコンテナ。
【請求項３】
可動床板による上方からの押圧力によって、インナーバッグ内に収納された輸送貨物の押し出しが可能とされていることを特徴とする請求項２のコンテナ。
【請求項４】
コンテナ内部に、上下方向に延びる支柱が複数配設されているとともに、可動床板は、この支柱が挿通された状態でコンテナの天井付近に略水平に維持可能とされ、かつ、この支柱をガイドとして上下方向の移動が可能とされていることを特徴とする請求項２または３のコンテナ。
【請求項５】
コンテナの上方にインナーバッグと連通する注入管が配設されており、コンテナの下方にインナーバッグと連通する排出管が配設されており、コンテナの底部に、排出管の方向に向かって斜めに傾斜した傾斜面が形成されており、インナーバッグは、傾斜面上に配置されていることを特徴とする請求項２から４のいずれかのコンテナ。
【請求項６】
インナーバッグの折り畳み時に可動床板は傾斜面に近接して敷設され、可動床板と傾斜面との間の空間にインナーバッグが収納されることを特徴とする請求項５のコンテナ。
【請求項７】
インナーバッグはコンテナの前壁側または側壁側に折り畳み自在であり、インナーバッグの折り畳み時に可動床板を移動させて、折り畳まれたインナーバッグの側方に可動床板を敷設可能であることを特徴とする請求項１のコンテナ。
【請求項８】
コンテナの前壁付近または側壁付近に、折り畳まれたインナーバッグを収納可能な収納室を備えることを特徴とする請求項７のコンテナ。
【請求項９】
さらに、コンテナの天井付近または側壁付近に配設された可動間仕切り板を備え、この可動間仕切り板を移動させることで、可動床板が敷設された上方の収納空間が縦方向に仕切られて、区画された複数の部屋を形成可能であることを特徴とする請求項１から８のいずれかのコンテナ。
【発明の詳細な説明】
【技術分野】
【０００１】
本発明は、貨物輸送用車両、船舶、航空機などに積載されるコンテナに関する。
【背景技術】
【０００２】
従来、産業用や食品用などの液状貨物を運搬する手段としては、鋼製のタンクを積載したタンクローリーや、鉄道、海上、陸上を運搬されるコンテナなどが使用されている。しかしながら、このような場合、往路便においては目的の液状貨物を積載して目的地で排出するが、復路便においては貨物を積むことが難しく、コンテナなどは空の状態で運行されている場合が多く、車両の運行効率の低下およびコストアップを招いている。このような復路便での空運転の理由としては、液状貨物を排出した後のコンテナ内に別種の貨物を積載するためのスペースの確保が難しいことなどが挙げられる。
【０００３】
一方、例えば特許文献１、２には、伸縮性を有するコンテナ用内袋（インナーバッグ）や折り畳み可能なコンテナ用内袋などを採用し、コンテナ用内袋を折り畳みなどしてコンテナ内に空きスペースを形成して復路便での空運転を抑制する方法が提案されている。
【先行技術文献】
【特許文献】
【０００４】
【特許文献１】特開2001−80697号公報
【特許文献２】特開2010-235205号公報
【発明の概要】
【発明が解決しようとする課題】
【０００５】
しかしながら、特許文献１、２においては、コンテナ用内袋を折り畳みなどして形成したコンテナ内の空きスペースを有効利用するための工夫については十分に検討されていない。
【０００６】
本発明は、以上のとおりの事情に鑑みてなされたものであり、輸送貨物を排出したインナーバッグを収納する際に形成されるコンテナ内の空きスペースを有効利用することができるコンテナを提供することを課題としている。
【課題を解決するための手段】
【０００７】
上記の課題を解決するために、本発明のコンテナは、輸送貨物を収納可能であり、かつ、折り畳み自在なインナーバッグを内部に備えたコンテナであって、コンテナの天井付近または側壁付近に配設された可動床板を備え、この可動床板は、インナーバッグ使用時に収納され、かつ、インナーバッグの折り畳み時に移動させることでコンテナ底部付近に敷設可能であり、敷設された可動床板の上方に収納空間が形成されることを特徴としている。
【０００８】
このコンテナでは、インナーバッグはコンテナの底部側または側壁側に折り畳み自在であり、インナーバッグの折り畳み時に可動床板を下降させて、折り畳まれたインナーバッグの上方に可動床板を敷設可能であることが好ましい。
【０００９】
このコンテナでは、可動床板による上方からの押圧力によって、インナーバッグ内に収納された輸送貨物の押し出しが可能とされていることが好ましい。
【００１０】
このコンテナでは、コンテナ内部に、上下方向に延びる支柱が複数配設されているとともに、可動床板は、この支柱が挿通された状態でコンテナの天井付近に略水平に維持可能とされ、かつ、この支柱をガイドとして上下方向の移動が可能とされていることが好ましい。
【００１１】
このコンテナでは、コンテナの上方にインナーバッグと連通する注入管が配設されており、コンテナの下方にインナーバッグと連通する排出管が配設されており、コンテナの底部に、排出管の方向に向かって斜めに傾斜した傾斜面が形成されており、インナーバッグは、傾斜面上に配置されていることが好ましい。
【００１２】
このコンテナでは、インナーバッグの折り畳み時に可動床板は傾斜面に近接して敷設され、可動床板と傾斜面との間の空間にインナーバッグが収納されることが好ましい。
【００１３】
このコンテナでは、インナーバッグはコンテナの前壁側または側壁側に折り畳み自在であり、インナーバッグの折り畳み時に可動床板を移動させて、折り畳まれたインナーバッグの側方に可動床板を敷設可能であることが好ましい。
【００１４】
このコンテナでは、コンテナの前壁付近または側壁付近に、折り畳まれたインナーバッグを収納可能な収納室を備えることが好ましい。
【００１５】
このコンテナでは、さらに、コンテナの天井付近または側壁付近に配設された可動間仕切り板を備え、この可動間仕切り板を移動させることで、可動床板が敷設された上方の収納空間が縦方向に仕切られて、区画された複数の部屋を形成可能であることが好ましい。
【発明の効果】
【００１６】
本発明のコンテナによれば、インナーバッグを収納する際に形成されるコンテナ内の空きスペースを有効利用することができ、輸送効率の向上が図られる。
【図面の簡単な説明】
【００１７】
【図１】発明のコンテナの第１実施形態において、インナーバッグに輸送貨物が注入されている状態を例示した側壁側からの内部透視図である。
【図２】インナーバッグに輸送貨物が注入されている状態を例示した前壁側からの内部透視図である。
【図３】本発明のコンテナの第１実施形態を例示した天井側からの平面図である。
【図４】本発明のコンテナの第１実施形態において、インナーバッグが収納された状態を例示した側壁側からの内部透視図である。
【図５】本発明のコンテナの第１実施形態において、インナーバッグが収納された状態を例示した前壁側からの内部透視図である。
【図６】本発明のコンテナの第２実施形態において、（Ａ）インナーバッグに輸送貨物が注入されている状態、（Ｂ）インナーバッグの輸送貨物が排出された状態を例示した側壁側からの内部透視図である。
【図７】本発明のコンテナの第２実施形態において、インナーバッグが収納された状態を例示した側壁側からの内部透視図である。
【発明を実施するための形態】
【００１８】
本発明のコンテナは、トラックなどの貨物輸送用車両、船舶、航空機などに積載されるコンテナであり、例えば、鋼鉄製やアルミニウム製の横長角筒状の形状のものを例示することができる。一般に、コンテナは、海上、陸上、航空輸送用に応じて国際規格や国内規格があり、本発明のコンテナは、これら種々の規格に適用することができる。
【００１９】
また、本発明のコンテナは、例えば、常温で輸送されるドライコンテナや保冷設備を備えたリーファーコンテナなどの各種の形態であってよい。
【００２０】
さらに、コンテナには、貨物積み込み口に開閉扉などのコンテナ開閉機構を備えることができる。
【００２１】
以下、本発明のコンテナの実施形態について、図面とともにさらに詳しく説明する。なお、本発明において、コンテナの側壁とは、対向する一対の横長の壁面をいい、コンテナの前壁、後壁とは、側壁の左右の端部同士を接続する壁面をいうものとする。後壁には、輸送貨物の積み込み、積み下ろしのための開閉扉が設けられる場合がある。前壁は、トラックなどの貨物輸送用車両に積載される場合、車両の前方側に位置する。
【００２２】
図１は、本発明のコンテナの第１実施形態において、インナーバッグに輸送貨物が注入されている状態を例示した側壁側からの内部透視図である。図２は、本発明のコンテナの第１実施形態において、インナーバッグに輸送貨物が注入されている状態を例示した前壁側からの内部透視図である。図３は、本発明のコンテナの第１実施形態を例示した天井側からの平面図である。
【００２３】
コンテナ１の内部には、輸送貨物を収納可能であるとともに折り畳み自在なインナーバッグ２が配設されている。
【００２４】
インナーバッグ２の材料は特に限定されず、輸送貨物の種類や耐久性などを考慮して適宜な材料からなるものを使用することができる。具体的には、例えば、安価で耐久性に優れた材料として、ポリエチレンやポリプロピレンなどを例示することができる。また、インナーバッグ２の形状、大きさなども特に限定されず、コンテナ１の大きさや輸送貨物の種類などに応じて適宜設計することができる。
【００２５】
また、インナーバッグ２は、蛇腹式に折り畳み可能とされていることが好ましい。これによって、簡単かつスムーズにインナーバッグ２を折り畳むことができる。インナーバッグ２を蛇腹式に形成する場合、例えば、可撓性を有する部分と剛性を有する部分とを折り畳む方向に交互に配置することができる。これによって、インナーバッグ２の強度を確保しつつ、インナーバッグ２を確実かつ容易に折り畳むことができる。図１〜図３に例示した形態では、インナーバッグ２はコンテナ１の底部１１側に折り畳み自在とされている。
【００２６】
インナーバッグ２に入れる輸送貨物は、固体、液体のいずれでもよく、所望の輸送貨物を内部に保持することができる。具体的には、輸送貨物は、紛体物、穀物、飲料用の液体（水、牛乳、酒など）、石油などを例示することができる。
【００２７】
また、インナーバッグ２は、コンテナ１から着脱自在であり、例えば、清掃や輸送貨物の入れ替えの際にコンテナ１から分離することができる。
【００２８】
さらに、図２に例示したように、コンテナ１の上方には、インナーバッグ２と連通する注入管３が配設されており、コンテナ１の下方には、インナーバッグ２と連通する排出管４が配設されている。注入管３と排出管４は、その一端がコンテナ１外部に露出している。輸送時には、所望の輸送貨物を注入管からインナーバッグ２に注入し、充填することができる。また、輸送完了後は、排出管４から輸送貨物を排出することができる。さらに、コンテナ１の底部１１には、排出管４の方向に向かって斜めに傾斜した傾斜面５が形成されており、インナーバッグ２は、傾斜面５上に配置されている。これによって、インナーバッグ２内の輸送貨物を排出管４からよりスムーズに排出することができる。そして、排出管４から輸送貨物を排出した後、例えば、インナーバッグ２内の空気を吸引することでインナーバッグ２を収縮させることができる。
【００２９】
コンテナ１内部の側壁１２付近には、上下方向に延びる支柱６が複数配設されている。また、コンテナ１の天井１３付近には、複数の可動床板７が配設されている。可動床板７は、四隅に開孔した穴に支柱６が挿通された状態でコンテナ１の天井１３付近に略水平に維持され、かつ、この支柱をガイドとして上下方向の移動が可能とされている。したがって、可動床板７は、水平状態が維持されたまま上下方向に安定に動かすことができる。可動床板７は、天井１３付近に収納されているため、インナーバッグ２に輸送貨物を入れるための十分な空間が確保されている。
【００３０】
図４は、本発明のコンテナの第１実施形態において、インナーバッグが収納された状態を例示した側壁側からの内部透視図である。図５は、本発明のコンテナの第１実施形態において、インナーバッグが収納された状態を例示した前壁側からの内部透視図である。
【００３１】
インナーバッグ２は、輸送貨物の排出後には、コンテナ１の底部１１側に折り畳むことができる。そして、インナーバッグ２の折り畳み時に、可動床板７を天井１３側からコンテナ１の底部１１方向へと移動させることで、可動床板７は傾斜面５に近接し、インナーバッグ２の上方に敷設される。これによって、可動床板７と傾斜面５との間の空間にインナーバッグ２が収納されとともに、可動床板７の上方に収納空間Ｓが形成される。このため、この収納空間Ｓに新たな輸送貨物を積み込んで輸送することができる。したがって、例えば復路便においても貨物を積むことができ、輸送効率を向上させることができる。なお、可動床板７の敷設後は、各種の固定手段によって可動床板７を固定することができる。
【００３２】
可動床板７の移動手段は特に限定されないが、電動式によって上下動自在であることが好ましい。また、可動床板７を下降させた際の上方からの押圧力によって、インナーバッグ２内に収納された輸送貨物が押し出されるように設計することもできる。この場合、輸送貨物の排出をより効率的に行うことができるため好ましい。
【００３３】
図６は、本発明のコンテナの第２実施形態において、（Ａ）インナーバッグに輸送貨物が注入されている状態、（Ｂ）インナーバッグの輸送貨物が排出された状態を例示した側壁側からの内部透視図である。図７は、本発明のコンテナの第２実施形態において、インナーバッグが収納された状態を例示した側壁側からの内部透視図である。第２実施形態において、第１実施形態と共通する部分についての説明は一部省略する。
【００３４】
図６（Ａ）に例示したように、インナーバッグ２に輸送貨物が注入されている状態では、インナーバッグ２はコンテナ１内の空間をほぼ充足している。また、可動床板７は、側壁１２に配設されており、インナーバッグ２使用時には収納されている。このため、インナーバッグ２使用時は、インナーバッグ２に輸送貨物を入れるための十分な空間が確保されている。さらに、コンテナ１の天井１３付近には、複数の可動間仕切り板８を備えている。可動間仕切り板８も、インナーバッグ２使用時には収納されているため、インナーバッグ２の使用を妨げることはない。
【００３５】
図７に例示したように、インナーバッグ２の折り畳み時には、側壁１２から可動床板７を移動させて、折り畳まれたインナーバッグ２の側方に可動床板７を敷設することができる。これによって、可動床板７の上方に収納空間Ｓが形成されるため、この収納空間Ｓに新たな輸送貨物を積み込んで輸送することができる。したがって、例えば復路便においても貨物を積むことができ、輸送効率を向上させることができる。可動床板７の移動は、例えば、手動または電動によって行うことができる。
【００３６】
さらに、天井１３に配設された可動間仕切り板８を移動させることで、可動床板７が敷設された上方の収納空間Ｓが縦方向に仕切られて、区画された複数の部屋Ｒが形成される。可動間仕切り板８の移動も、例えば、手動または電動によって行うことができる。図７に例示した形態では、前後方向に区画された３つの部屋が形成されている。可動間仕切り板８によって区画された部屋Ｒを形成することで、例えば別種の輸送貨物や輸送先が異なる輸送貨物をそれぞれの部屋Ｒに積み込むことができるため、さらに運行効率を向上させることができる。
【００３７】
また、コンテナ１の前壁１４付近に、コンテナ１の前壁１４側に折り畳まれたインナーバッグ２を収納可能な収納室９を備えている。図７に例示したように、収納室９は、可動間仕切り板８によって形成することもできるし、コンテナ１内に別途ドア付きの部屋を設けて収納室９とすることができる。折り畳まれたインナーバッグ２を収納室９に収納することで、インナーバッグ２の損傷などを抑制することができる。
【００３８】
以上の通り、本発明のコンテナ１は、インナーバッグ２使用時に収納されている可動床板７を、インナーバッグ２の折り畳み時に移動させることでコンテナ１の底部１１付近に敷設することができるため、コンテナ１内の空きスペースを有効利用することができる。このため、コンテナ１が空の状態での運行が抑制され、輸送効率が格段に向上する。
【００３９】
本発明のコンテナは、以上の形態に限定されることはなく様々な態様が可能である。例えば、コンテナの外面や内面には、遮熱塗料などの各種の塗料を塗布することができる。また、コンテナの内部（側壁、天井、底部など）には、例えば緩衝材などを配設することもでき、これによって、インナーバッグの損傷を抑制することもできる。また、コンテナ内に複数のインナーバッグを備えることもでき、これによって、別種の輸送貨物をすることもできる。さらに、コンテナの床面にはローラーを配設することができ、これによって、コンテナの運搬を容易に行うことができる。また、コンテナの側壁には、フックを掛ける鍵穴を配設することができ、ベルトなどで固定することもできる。また、インナーバッグはコンテナの側壁側に折り畳み自在とすることもできる。
【符号の説明】
【００４０】
１    コンテナ
１１  底部
１２  側壁
１３  天井
１４  前壁
２    インナーバッグ
３    注入管
４    排出管
５    傾斜面
６    支柱
７    可動床板
８    可動間仕切り板
９    収納室
Ｒ    部屋
Ｓ    収納空間
【図１】
2015101340.tif 000003
【図２】
2015101340.tif 000004
【図３】
2015101340.tif 000005
【図４】
2015101340.tif 000006
【図５】
2015101340.tif 000007
【図６】
2015101340.tif 000008
【図７】
2015101340.tif 000009